(57)【要約】【課題】トラクタの左右両輪のタイヤの踏圧で固められたタイヤの直後方の圃場における固まりを緩和し、圃場の表面から作土層、耕盤層乃至心土層への透水性を改善し、保水性を高めることのできる簡単に着脱可能な踏圧緩和具を備えた農作業機を実現する。【解決手段】トラクタ２の両輪のタイヤの直後方に配置されたサブソイラ２８、３２の後面に、右側及び左側の踏圧緩和具１３、１４を着脱可能に固定して装着され、踏圧緩和具１３、１４の下端部には、掘削刃４６が取り付けられており、踏圧緩和具１３、１４によって、トラクタ２の左右両輪のタイヤの直後方の圃場における帯状の部位における心土層の心土を破砕して、透水性を改善し、保水性を高める。【選択図】図４
2014011989.tif 000002
【特許請求の範囲】
【請求項１】
トラクタで牽引され、圃場の土をナイフビームに装着したチゼルで掘削し破砕する踏圧緩和具を装着した農作業機であって、
踏圧緩和具は踏圧緩和ビームを有しており、
踏圧緩和ビームは、その上部はトラクタのタイヤの直後方に配置されたナイフビームの後面に着脱可能に固定して装着され、その下部はナイフビームに装着したチゼルより下方に延びるように構成されており、その下端部には、掘削刃が取り付けられている構成であることを特徴とする踏圧緩和具を装着した農作業機。
【請求項２】
下端部に取り付けられた掘削刃の上方における踏圧緩和ビームの前面に、前方に刃先を有する破砕刃が形成されている構成とすることを特徴とする請求項１に記載の踏圧緩和具を装着した農作業機。
【請求項３】
踏圧緩和ビームは、ナイフビームの後面に当接した状態で、ナイフビームとともに、左右の両側から２枚の締着板で狭着され、ボルト及びナットで締着して、ナイフビームに装着される構成であることを特徴とする請求項１又は２に記載の踏圧緩和具を装着した農作業機。
【請求項４】
踏圧緩和ビームの前面に前方に張り出した張り出し部が形成されており、ナイフビームの後面に突出部が形成されており、張り出し部は突出部に載置するようにして、踏圧緩和ビームはナイフビームに装着される構成であることを特徴とする請求項１〜３のいずれかに記載の踏圧緩和具を装着した農作業機。
【請求項５】
ナイフビームの一方側の側面と踏圧緩和ビームの頂部の一方側の側面に面するように、ハンドル基部が取り付けられている構成であって、
ハンドルの基部の前部は、ナイフビームに挿通されたボルトの先端側が挿通され、該ボルトの先端側からコイルばねを介してナットを締着することで、ナイフビームの一方側の側面に押しつけられているとともに、
ハンドルの基部の後部は、踏圧緩和ビームにネジ止めされたボルトの先端が抜き差し可能に挿通されていることを特徴とする請求項１〜４のいずれかに記載の踏圧緩和具を装着した農作業機。
【請求項６】
農作業機は、サブソイラ作業機であって、作業進行方向に対して横幅方向に水平に延びる作業フレームを備えており、この作業フレームに、チゼルの上方におけるナイフビームの前面に撥土板が取り付けられて成る複数のサブソイラが設けられている構成であることを特徴とする請求項１〜５のいずれかに記載の踏圧緩和具を装着した農作業機。
【請求項７】
農作業機は、サブソイラ作業機であって、農作業機は、作業進行方向に対して横幅方向に水平に延びる前方作業フレーム及び後方作業フレームを備えており、前方作業フレーム及び後方作業フレームに、それぞれチゼルの上方におけるナイフビームの前面に撥土板が取り付けられ成る複数のサブソイラが設けられており、
前方作業フレームに取り付けられた複数のサブソイラと後方作業フレームに取り付けられた複数のサブソイラは、横幅方向に食い違いに設けられており、
トラクタの両輪の一方のタイヤの後方に配置される踏圧緩和具は、前方作業フレーム及び後方作業フレームの一方に装着されたサブソイラに取り付けられており、トラクタの両輪の他方のタイヤの後方に配置される踏圧緩和具は、前方作業フレーム及び後方作業フレームの他方に装着されたサブソイラに取り付けられている構成であることを特徴とする請求項１〜５のいずれかに記載の踏圧緩和具を装着した農作業機。
【発明の詳細な説明】
【技術分野】
【０００１】
本発明は、農作業機に関し、特に、トラクタで牽引されるサブソイラ作業機等の農作業機であって、該農作業機で圃場の農耕作業をする際に、農作業機を牽引して走行するトラクタの左右のタイヤによって踏圧されて固められる圃場における帯状の部位を、破砕して緩和する踏圧緩和具を装着した農作業機に関する。
【背景技術】
【０００２】
トラクタが備える３点リンクヒッチ機構のアッパーリンク及びロアリンクを介してトラクタに接続される農作業機が知られている。例えば、フレームに取り付けられたナイフビームの下端にチゼルが設けられ、ナイフビームの前縁に沿って撥土板を備えたサブソイラ作業機が知られている（特許文献１、２参照）。
【先行技術文献】
【特許文献】
【０００３】
【特許文献１】特開２０００−２７０６０２号公報
【特許文献２】特開２００１−２９９００９号公報
【発明の概要】
【発明が解決しようとする課題】
【０００４】
圃場では深さ方向に、作土層、耕盤層、心土層が存在し、農作物の生育に必要な水は、圃場の作土層の表面やその近くに滞ることなく、土中に浸透し、作土層及び耕盤層から心土層内に浸透し、心土層内に、ある程度貯留され保水性を向上させることが土壌にとって望ましい。
【０００５】
そのために、農作業機によって、心土層等を破砕し、保水性、透水性を確保するための作業を行うが、トラクタで牽引されて農作業を行う従来の農作業機では、トラクタが走行する際に、その前後における左右両輪のタイヤ（以下、本明細書では「左右両輪のタイヤ」という。）の直後方において、左右両輪のタイヤが転動する圃場の帯状の部位が、左右両輪のタイヤの直後方ではない部位に比べると、左右両輪のタイヤの踏圧によって固められるので、上記保水性の点で好ましくない。
【０００６】
例えば、サブソイラ作業機の場合、トラクタの後方において、チゼルで圃場の心土を破砕し、該破砕した土をサブソイラで心土の上の耕盤層、さらには作土層へ上昇させる。しかし、トラクタの左右両輪のタイヤの直後方で踏圧された帯状の部位は、サブソイラ作業機で破砕し破砕した土を上昇させても、トラクタの左右両輪のタイヤの直後方ではない他のサブソイラで破砕された部位に比較すると、例えば、心土層の深い部位等で固められており、耕盤層から心土層への透水性、及び心土層での保水性等において、好ましくはない。
【０００７】
本発明は、上記従来の農作業機で生じるトラクタの左右両輪のタイヤの直後方の圃場における帯状の部位が、直後方以外の部位に比べて、左右両輪のタイヤの踏圧で固められてしまうことにより、圃場内の透水性、保水性への弊害が生じるという問題を解決することを目的とするものである。
【０００８】
即ち、本発明は、トラクタの左右両輪のタイヤの直後方の圃場における帯状の部位における心土を破砕して土壌を膨軟にし、圃場の表面又はその近くの水捌けを改善するとともに、圃場表面から、作土層、耕盤層乃至心土層への透水性を改善し、保水性を高めることを課題とするとともに、従来の農作業機であっても、簡単に装着し取り外しでできる着脱可能な構造の踏圧緩和具を備えた農作業機を実現することを課題とする。
【課題を解決するための手段】
【０００９】
本発明は上記課題を解決するために、トラクタで牽引され、ナイフビームに装着したチゼルで土を掘削し膨軟にする踏圧緩和具を装着した農作業機であって、踏圧緩和具は踏圧緩和ビームを有しており、踏圧緩和ビームは、その上部はトラクタのタイヤの直後方に配置されたナイフビームの後面に着脱可能に固定して装着され、その下部はナイフビームに装着したチゼルより下方に延びるように構成されており、その下端部には、掘削刃が取り付けられていることを特徴とする踏圧緩和具を装着した農作業機を提供する。
【００１０】
下端部に取り付けられた掘削刃の上方における踏圧緩和ビームの前面に、前方に刃先を有する破砕刃が形成されている構成とすることが好ましい。
【００１１】
踏圧緩和ビームは、ナイフビームの後面に当接した状態で、ナイフビームとともに、左右の両側から２枚の締着板で狭着され、ボルト及びナットで締着して、ナイフビームに装着される構成であることが好ましい。
【００１２】
踏圧緩和ビームの前面に前方に張り出した張り出し部が形成されており、ナイフビームの後面に突出部が形成されており、張り出し部は突出部に載置するようにして、踏圧緩和ビームはナイフビームに装着される構成であることが好ましい。
【００１３】
ナイフビームの一方側の側面と踏圧緩和ビームの頂部の一方側の側面に面するように、ハンドル基部が取り付けられている構成であって、ハンドルの基部の前部は、ナイフビームに挿通されたボルトの先端側が挿通され、該ボルトの先端側からコイルばねを介してナットを締着することで、ナイフビームの一方側の側面に押しつけられているとともに、ハンドルの基部の後部は、踏圧緩和ビームにネジ止めされたボルトの先端が抜き差し可能に挿通されている構成であることが好ましい。
【００１４】
農作業機は、サブソイラ作業機であって、作業進行方向に対して横幅方向に水平に延びる作業フレームを備えており、この作業フレームに、チゼルの上方におけるナイフビームの前面に撥土板が取り付けられて成る複数のサブソイラが設けられている構成であることが好ましい。
【００１５】
農作業機は、サブソイラ作業機であって、農作業機は、作業進行方向に対して横幅方向に水平に延びる前方作業フレーム及び後方作業フレームを備えており、前方作業フレーム及び後方作業フレームに、それぞれチゼルの上方におけるナイフビームの前面に撥土板が取り付けられ成る複数のサブソイラが設けられており、前方作業フレームに取り付けられた複数のサブソイラと後方作業フレームに取り付けられた複数のサブソイラは、横幅方向に食い違いに設けられており、トラクタの両輪の一方のタイヤの後方に配置される踏圧緩和具は、前方作業フレーム及び後方作業フレームの一方に装着されたサブソイラに取り付けられており、トラクタの両輪の他方のタイヤの後方に配置される踏圧緩和具は、前方作業フレーム及び後方作業フレームの他方に装着されたサブソイラに取り付けられていることが好ましい。
【発明の効果】
【００１６】
本発明に係る踏圧緩和具を装着した農作業機は、トラクタの左右両輪のタイヤの直後方であるために、直後方以外の部位より左右両輪のタイヤの踏圧で固められた圃場における帯状の部位を、サブソイラ作業機等によって破砕した後で、さらに心土層を破砕してその固さを緩和することで、圃場の表面又はその近くの水捌けを改善し、作土層、耕盤層、乃至心土層の透水性を改善し、保水性を向上させることができ、さらに、圃場内の作土層、耕盤層、心土層内への空気が十分混入させることができる。
【図面の簡単な説明】
【００１７】
【図１】本発明の実施例を説明する図であり、踏圧緩和具を装着した農作業機をトラクタに連結した状態を示す斜視図である。
【図２】本発明の実施例を説明する図であり、踏圧緩和具を装着した農作業機をトラクタに連結した状態を示す側面図である。
【図３】本発明の実施例を説明する図であり、踏圧緩和具を装着した農作業機をトラクタに連結した状態を示す平面図である。
【図４】本発明の実施例を説明する図であり、踏圧緩和具を装着した農作業機の斜視図である。
【図５】本発明の実施例を説明する図であり、踏圧緩和具を装着した農作業機の側面図である。
【図６】本発明の実施例を説明する図であり、踏圧緩和具を装着した農作業機の平面図である。
【図７】本発明の実施例を説明する図であり、（ａ）は踏圧緩和具の構成、及び踏圧緩和具をサブソイラに装着する装着構造を示す前方からの斜視図であり、（ｂ）は緩和具の構成、及び踏圧緩和具をサブソイラに装着する装着構造を示す後方からの斜視図である。
【図８】本発明の実施例を説明する図であり、踏圧緩和具を装着した農作業機を前方から見た図である。
【発明を実施するための形態】
【００１８】
本発明に係る踏圧緩和具を装着した農作業機を実施するための形態を実施例に基づき図面を参照して、以下説明する。
【実施例】
【００１９】
図１〜図８は、本発明に係る踏圧緩和具を装着した農作業機の実施例を説明する図である。この実施例では、踏圧緩和具を装着した農作業機として、踏圧緩和具を装着したサブソイラ作業機を例に挙げて説明する。
【００２０】
（全体構成）
踏圧緩和具を装着した農作業機１は、図１〜図３に示すように、トラクタ２に３点ヒッチリンク機構によって連結され牽引されて使用される。なお、本明細書では、左右は、農作業機の作業時の進行方向に向かって左右とし、前後（前方及び後方）は、農作業機の作業時の進行方向に向かって前後（前方及び後方）であるものとする。
【００２１】
踏圧緩和具を装着した農作業機１は、図１〜図８に示すように、前方フレーム３及び後方フレーム４と、左右のサイドプレート７と、マスト８と、左右のロアリンク支持ブラケット１１と、複数のサブソイラ１２と、右側踏圧緩和具１３と、左側踏圧緩和具１４と、右側規制側板１７と、左側規制側板１８と、鎮圧輪２１と、連結フレーム３３を主な構成要素として備えている。
【００２２】
前方フレーム３及び後方フレーム４は、それぞれ横幅方向（作業進行方向に対して直交する左右方向）に向けて水平に配置されており、前方フレーム３は、後方フレーム４よりも作業進行方向において前方に配置されている。
【００２３】
前方フレーム３には、その左右において、前後方向に伸びる左右の連結プレート９の前端が溶着されている。この連結プレート９の後端は、取付片を介して後方フレーム４にネジ止めされる。後方フレーム４は、その左右において、前後方向に伸びる左右の連結プレート１０の後端が溶着されている。この連結プレート１０の前端は、取付片を介して前方フレーム３にネジ止めされる。
【００２４】
左右のサイドプレート７は、前方フレーム３と後方フレーム４を結合するように前後方向に向けて配置されており、それぞれ前端は前方フレーム３に固定されており、後端は後方フレーム４に固定されている。
【００２５】
マスト８は、その下端が前方フレーム３に固定されており、上端が２本の支持杆２２の前端で支持されている。２本の支持杆２２は、それぞれ前端がマスト８に結合されており、後方に向けて左右に拡開して、それぞれ後端が後方フレーム４に結合されている。マスト８には、図１〜図３に示すように、トラクタ２に連結する３点ヒッチリンク機構のアッパーリンク２３の後端に、ヒッチピンで結合されている。
【００２６】
左右のロアリンク支持ブラケット１１は、それぞれ上端が、図２、図３、図４〜図６、図８に示すように、互いに横幅方向に間隔をおいて前方フレーム３に結合されていて、図１〜３に示すように、トラクタ２に連結する３点ヒッチリンク機構のロアリンク２４の後端に、ヒッチピンで結合されている。
【００２７】
図４〜図６に示すように、前方フレーム３と後方フレーム４には、それぞれ複数のサブソイラ１２が横幅方向に間隔をおいて上端が固定されて下方に向けて設けられている。図４、図６に示すように、前方フレーム３に設けられた複数のサブソイラ１２と後方フレーム４に設けられた複数のサブソイラ１２は、互いに横幅方向にずれて配置されている。
【００２８】
要するに、図６に明示するように、前方フレーム３に設けられた複数のサブソイラ１２の互いの横幅方向における間に位置するように、後方フレーム４に設けられた複数のサブソイラ１２が配置されており、全体として平面視で千鳥状に配置されている。
【００２９】
本実施例では、右側踏圧緩和具１３は、図４〜図６に示すように、トラクタ２の進行方向右側のタイヤ２７の直後方であって、前方フレーム３の作業進行方向の右端に配置されたサブソイラ（以下、複数のサブソイラ１２のうち、このサブソイラを特に「前方右側のサブソイラ」といい、符号として２８を付す。）２８の後側に、着脱可能に固定して装着される。
【００３０】
また、左側踏圧緩和具１４は、図４〜図６に示すように、トラクタ２の進行方向左側のタイヤ３１の直後方であって、後方フレーム４の作業進行方向の左端に配置されたサブソイラ（以下、複数のサブソイラ１２のうち、このサブソイラを特に「後方左側のサブソイラ」といい、符号として３２を付す。）３２の後側に、着脱可能に固定して装着される。
【００３１】
鎮圧輪２１は、後方フレーム４に左右の連結フレーム３３を介して取り付けられている。右側規制側板１７及び左側規制側板１８は、踏圧緩和具を装着した農作業機１で上昇、放擲された土が左右側方に寄せられて畝状となることを防止する機能を有する。
【００３２】
サブソイラ２８及び右側踏圧緩和具１３を共に設けると、放擲される土の量がより多くなるから、右側規制側板１７は、サブソイラ２８及び右側踏圧緩和具１３に近接して右側後方に設けるとよい。サブソイラ３２及び左側踏圧緩和具１４を共に設けると、同様に放擲される土の量がより多くなるから、左側規制側板１８は、サブソイラ３２及び左側踏圧緩和具１４に近接して左側後方に設けるとよい。
【００３３】
（サブソイラ及び踏圧緩和具）
前方右側のサブソイラ２８及び後方左側のサブソイラ３２は、図４、図５、図７（ａ）、（ｂ）に示すように、ナイフビーム３６と、チゼル３７と、撥土板３８と、ウィング３９と、を主な構成要素として備えている。
【００３４】
ナイフビーム３６は、その上端部が、図４〜６に示すように、前方フレーム３及び後方フレーム４にそれぞれ固定されたブラケット４１に、ボルト締めされて固定されている。ナイフビーム３６の上下方向の中間部の後面には、図７（ａ）、（ｂ）に示すように、後方に張り出した突出部４２が形成されている。        
【００３５】
ナイフビーム３６の下端部には、その前面にチゼル３７と、チゼル３７の左右両側に延びるようにウィング３９が取り付けられており、これにより、圃場における耕盤層の土や、心土層の心土を掘削し破砕する機能を有する。
【００３６】
撥土板３８は、チゼル３７の上方においてチゼル３７と連続するように、ナイフビーム３６の前面に取り付けられており、チゼル３７等で掘削し破砕した心土を含め破砕土を上昇し反転放擲させる。
【００３７】
右側踏圧緩和具１３と左側踏圧緩和具１４は、互いに構成は同じであり、しかも、右側踏圧緩和具１３が前方右側のサブソイラ２８に装着される装着構造と、左側踏圧緩和具１４が後方左側のサブソイラ３２に装着される装着構造は同じである。
【００３８】
よって、ここでは、右側踏圧緩和具１３の構成について説明するとともに、右側踏圧緩和具１３が、前方右側のサブソイラ２８に装着される装着構造について説明する。左側踏圧緩和具１４の構成及びその後方左側のサブソイラ３２への装着構造の説明は、省略する。
【００３９】
右側踏圧緩和具１３は、図４、図５、図７（ａ）、（ｂ）に示すように、踏圧緩和ビーム４５と、踏圧緩和掘削刃４６と、を有する。踏圧緩和ビーム４５は、上下方向に直線的に延びるような構成である。踏圧緩和掘削刃４６は、踏圧緩和ビーム４５の下端部に取り付けられており、トラクタ２の右側タイヤによる踏圧によって固められた圃場の主に心土層の心土を掘削し破砕する。
【００４０】
踏圧緩和ビーム４５は、その下部における、踏圧緩和掘削刃４６が取り付けられている部分の上方に、破砕刃４７が形成されている。破砕刃４７は、その刃先を前方に向け、踏圧緩和ビーム４５の前面に上下方向に沿うように形成されている。
【００４１】
踏圧緩和ビーム４５は、その上部において、前方右側のサブソイラ２８のナイフビーム３６の後面に当接され固定して装着される。この装着構造を、図７に詳細に示す。踏圧緩和ビーム４５の上端部の前面には、前方に張り出した張り出し部４９が形成されている。
【００４２】
踏圧緩和ビーム４５を前方右側のサブソイラ２８のナイフビーム３６に装着する構成は次のとおりである。踏圧緩和ビーム４５を、その張り出し部４９をナイフビーム３６の突出部４２に載置するようにして、突出部４２の後面に当接し、その状態で、踏圧緩和ビーム４５とナイフビーム３６を、それぞれ２枚の締着板５２によって、左右両側から挟む。
【００４３】
そして、２枚の締着板５２の後部のボルト挿通孔５３及びスペーサ４８のボルト通し孔５４にボルト５７を通し、座板５８と座金５９を介してナット６０で締め付ける。また、２枚の締着板５２の前部のボルト挿通孔６３及びナイフビーム３６のボルト挿通孔６４にボルト５７を通し、座板５８と座金５９を介してナット６０で締め付ける。
【００４４】
ナイフビーム３６及び踏圧緩和ビーム４５に、ハンドル６５の基部６６が固定されて取り付けられる。具体的には、ナイフビーム３６には、その突出部４２より上方にボルト挿通孔７０が形成されている。踏圧緩和ビーム４５の頂部７１には、ボルト締結用ねじ孔７２が形成されている。                              
【００４５】
また、図７（ａ）、（ｂ）に示すように、ハンドル６５の基部６６の前部にボルト挿通孔７３が形成されており、後部にボルト挿通孔７４が形成されている。ナイフビーム３６のボルト挿通孔７０とハンドル６５のボルト挿通孔７３を貫通するように、ボルト７５が挿通され、ハンドル６５は、コイルばね７７と座金５９を介してナット６０がボルト７５にねじ込まれ、ナイフビーム３６に取り付けられている。これにより、ハンドル６５は、コイルばね７７で外側から弾力的にナイフビーム３６に押しつけられるようになっている。
【００４６】
踏圧緩和ビーム４５の頂部７１のボルト締結用ねじ孔７２に、ボルト７６がねじ込まれ、さらにボルト締結用ねじ孔７２から突出したボルト７６の先端は、ハンドル６５のボルト挿通孔７４に抜き差し可能に挿通されている（ねじ込まれているのではなく単に挿通されている）。このようにして、ナイフビーム３６の一方側の側面と踏圧緩和ビーム４５の頂部の一方側の側面に面するように、ハンドル６５の基部６６が取り付けられている。
【００４７】
（作用）
以上の構成から成る本発明に係る踏圧緩和具を装着した農作業機１の作用について、以下、説明する。右側踏圧緩和具１３を、前方右側のサブソイラ２８のナイフビーム３６に装着する際には（左側踏圧緩和具１４を後方左側のサブソイラ３２のナイフビーム３６に装着する際についても同様である。）、踏圧緩和ビーム４５を、その張り出し部４９をナイフビーム３６の突出部４２に載置するようにして、突出部４２の後面に当接する。
【００４８】
その状態で、踏圧緩和ビーム４５とナイフビーム３６を、２枚の締着板５２で左右両側から挟みつけるようにして当接し、ボルト５７及びナット６０で、座板５８と座金５９を介して締め付けて締着する。
【００４９】
そして、ハンドル６５を、その基部６６の前部において、ナイフビーム３６に、ボルト７５及びナット６０によって、コイルばね７７と座金５９を介して取り付け、基部６６の後部において、踏圧緩和ビーム４５にねじ込まれ外側に突出したボルト７６の先端を挿通させる。
【００５０】
踏圧緩和ビーム４５を、その張り出し部４９をナイフビーム３６の突出部４２に載置するようにして、ナイフビーム３６の後面に当接した状態で、踏圧緩和ビーム４５とナイフビーム３６を、２枚の締着板５２で締め付けるような構成としたので、作業時に踏圧緩和ビーム４５が土中の深さ方向に引き込まれても、下方にずれ落ちることがない。
【００５１】
また、ハンドル６５の基部６６の前部は、ボルト７５が挿通され、コイルばね７７でナイフビーム３６に弾力的に当接されて取り付けられており、ハンドル６５の基部６６の後部は、踏圧緩和ビーム４５にねじ込まれて固定されたボルト７６の先端が抜き差し可能に挿通されているので、作業時に踏圧緩和ビーム４５が土中の浅い方向に突き上げられても、上方へずれにくい。
【００５２】
なお、ハンドル６５の基部６６に、踏圧緩和ビーム４５の頂部にねじ込まれて外側に突出したボルト７６の先端を抜き差し可能に挿通するようにしておけば、踏圧緩和ビーム４５をナイフビーム３６の後面に当接し、２枚の締着板５２で挟みつけて締着する作業の際に、或いは、後記する踏圧緩和ビーム４５をナイフビーム３６から取り外す作業の際に、ナイフビーム３６に取り付けられたハンドル６５に、踏圧緩和ビーム４５を仮止め的に保持させることができるので、作業がし易くなる。
【００５３】
踏圧緩和具を装着した農作業機で圃場内の耕耘作業を行う場合には、トラクタ２で踏圧緩和具を装着した農作業機１を牽引することによって、複数のサブソイラ１２のチゼル３７で圃場内の耕盤層の土や心土層の心土を掘削して破砕する。この破砕土は、撥土板３８で上昇させて、放擲する。
【００５４】
このような作業を行うことで、圃場を膨軟にし、作土層、耕盤層、乃至心土層への透水性を改善し、保水性を向上させることができる。また、土中に新鮮な空気を混入させることができる。                       
【００５５】
このような作業を行う際に、踏圧緩和具を装着した農作業機１の前方を移動するトラクタ２の右側のタイヤ２７及び左側のタイヤ３１で、それぞれの直後方の圃場における右側の帯状の部位及び左側の帯状の部位は踏圧されて、他の部位より固められる。
【００５６】
従って、圃場におけるトラクタ２の両輪のタイヤ２７、３１の直後方の部分についても、前方右側のサブソイラ２８及び後方左側のサブソイラ３２によって、心土等が掘削され破砕されるにしても、右側の帯状の部位及び左側の帯状の部位以外の部位に比べると、例えば、サブソイラ２８、３２で掘削される深さよりさらに下方の心土層における心土等については、必ずしも十分、掘削され破砕されない。
【００５７】
本発明に係る踏圧緩和具を装着した農作業機１は、右側のタイヤ２７と左側のタイヤ３１の踏圧でそれぞれ固められた圃場における右側の帯状の部位及び左側の帯状の部位について、前方右側サブソイラ２８及び後方左側サブソイラ３２による掘削に加えて、さらに、右側踏圧緩和具１３と左側踏圧緩和具１４の踏圧緩和掘削刃４６で掘削し、破砕する。
【００５８】
この場合、踏圧緩和掘削刃４６は、前方右側サブソイラ２８及び後方左側サブソイラ３２のチゼル３７より下方に位置するので、サブソイラのチゼル３７より深い心土層の心土を掘削し破砕することが可能となる。
【００５９】
このため、右側のタイヤ２７と左側のタイヤ３１で踏圧されてより固められた圃場内の土や、チゼル３７では届かない心土層のうち深い部分を破砕することができるので、透水性がさらに改善され、保水性もより向上する。
【００６０】
加えて、右側踏圧緩和具１３及び左側踏圧緩和具１４の破砕刃４７で、心土層及び耕盤層等の土を破砕する。このことからも、右側のタイヤ２７と左側のタイヤ３１で踏圧された直後方における圃場帯状の部位は、表面から作土層、耕盤層、乃至心土層への透水性を改善し、また、心土層の保水性を向上させることができる。
【００６１】
圃場における農作業が終了し、右側踏圧緩和具１３（左側踏圧緩和具１４についても同様である。）を前方右側のサブソイラ２８のナイフビーム３６から取り外す場合には、まず、２枚の締着板５２による締結を解除する。
【００６２】
そして、右側踏圧緩和具１３を持って支持した状態で、ハンドル６５を把持して、コイルばね７７の弾力に抗して外側に移動させれば、ボルト７６の先端は、ハンドル６５のボルト挿通孔７４から抜け出てフリーになるので、右側踏圧緩和具１３をナイフビーム３６から取り外すことができるのである。
【００６３】
以上、本発明に係る踏圧緩和具を装着した農作業機を実施するための形態を実施例に基づいて説明したが、本発明はこのような実施例に限定されるものではなく、特許請求の範囲に記載された技術的事項の範囲内でいろいろな実施例があることは言うまでもない。
【００６４】
例えば、上記実施例では、前方フレーム及び後方フレームに、それぞれ複数のサブソイラを設けて成る、前後２列の複数のサブソイラ列を設けた農作業機について説明したが、１列に複数のサブソイラを設けた農作業機であってもよい。
【００６５】
１列に複数のサブソイラを設けた農作業機の場合は、複数のサブソイラのうち、トラクタの両輪のタイヤの後方に位置する２つの左右のサブソイラの後側に、左右の踏圧緩和具が装着される。
【産業上の利用可能性】
【００６６】
本発明に係る本発明に係る踏圧緩和具を装着した農作業機は、上記のような構成であるから、トラクタで牽引して農作業を行う農作業機であれば、サブソイラ作業機だけでなく、例えば、スタブルカルチ作業機（特許第４８２８７０４号公報参照）、プラウ作業機（特許第４３８７００６号公報参照）等の農作業機にも適用可能である。
【符号の説明】
【００６７】
１  踏圧緩和具を装着した農作業機
２  トラクタ
３  前方フレーム
４  後方フレーム
７  サイドプレート
８  マスト
９  連結プレート
１０  連結プレート
１１  ロアリンク支持ブラケット
１２  サブソイラ
１３  右側踏圧緩和具
１４  左側踏圧緩和具
１７  右側規制側板
１８  左側規制側板
２１  鎮圧輪
２２  支持杆
２３  アッパーリンク
２４  ロアリンク
２７  右側のタイヤ
２８  前方右側のサブソイラ
３１  左側のタイヤ
３２  後方左側のサブソイラ
３３  連結フレーム
３６  ナイフビーム
３７  チゼル
３８  撥土板
３９  ウィング
４１  ブラケット
４２  ナイフビームの突出部
４５  踏圧緩和ビーム
４６  踏圧緩和掘削刃
４７  踏圧緩和ビームの破砕刃
４８  スペーサ
４９  踏圧緩和ビームの張り出し部
５２  締着板
５３  締着板の後部のボルト挿通孔
５４  踏圧緩和ビームの装着耳部のボルト通し孔
５７  ボルト
５８  座板
５９  座金
６０  ナット
６３  締着板の前部のボルト挿通孔
６４  ナイフビームのボルト挿通孔
６５  ハンドル
６６  ハンドルの基部
７０  ナイフビームの上部のボルト挿通孔
７１  踏圧緩和ビームの頂部
７２  踏圧緩和ビームの頂部のボルト締結用ねじ孔
７３  ハンドルの基部の前部のボルト挿通孔
７４  ハンドルの基部の後部のボルト挿通孔
７５  ボルト
７６  ボルト
７７  コイルばね
【図１】
2014011989.tif 000003
【図２】
2014011989.tif 000004
【図３】
2014011989.tif 000005
【図４】
2014011989.tif 000006
【図５】
2014011989.tif 000007
【図６】
2014011989.tif 000008
【図７】
2014011989.tif 000009
【図８】
2014011989.tif 000010